(57)【要約】【課題】同じ部品を使用して、上下の段数と横幅の両方を調整しながら簡単かつ容易に組み立てする。【解決手段】組み立て棚は、水平板材２と垂直板材３の中間に、一方の側面５から他方の側面５に向かって延びるスリット４を設けている。水平板材２のスリット４の幅は、垂直板材３の厚さに等しく、垂直板材３のスリット４の幅は、水平板材２の厚さに等しくしている。水平板材２のスリット４に垂直板材３を挿入し、垂直板材３のスリット４に水平板材２を挿入し、水平板材２と垂直板材３とを脱着できるように直角に連結して十字板ユニット１としている。十字板ユニット１を構成する水平板材２と垂直板材３は、その両端面６に連結ダボ７を挿入するために複数の連結孔８を所定の間隔で設けている。組み立て棚は、連結孔８に連結ダボ７を挿入し、連結ダボ７を介して隣接する十字板ユニット１の水平板材２及び／又は垂直板材３を連結する。【選択図】図１
2007000409.tif 000002
【特許請求の範囲】
【請求項１】
水平板材(2)と垂直板材(3)が、その中間に、一方の側面(5)から他方の側面(5)に向かって横方向に延びるスリット(4)を設けており、水平板材(2)のスリット(4)の幅は垂直板材(3)の厚さに等しく、垂直板材(3)のスリット(4)の幅は水平板材(2)の厚さに等しく、
水平板材(2)のスリット(4)に垂直板材(3)が挿入され、垂直板材(3)のスリット(4)に水平板材(2)が挿入されて、水平板材(2)と垂直板材(3)が脱着できるように直角に連結されて、十字板ユニット(1)とし、
この十字板ユニット(1)を構成する水平板材(2)と垂直板材(3)は、その両端面(6)に、連結ダボ(7)を挿入するために複数の連結孔(8)を所定の間隔で設けており、
連結孔(8)に連結ダボ(7)を挿入し、連結ダボ(7)を介して隣接する十字板ユニット(1)の水平板材(2)及び／又は垂直板材(3)を連結するようにしてなる組み立て棚。
【請求項２】
水平板材(2)と垂直板材(3)とが同じ外形と厚さの板材である請求項１に記載される組み立て棚。
【請求項３】
水平板材(2)と垂直板材(3)に、一方の側面(5)から両側面(5)の中央までスリット(4)を設けている請求項１に記載される組み立て棚。
【請求項４】
水平板材(2)と垂直板材(3)の両端面(6)の中央にスリット(4)を設けている請求項１に記載される組み立て棚。
【請求項５】
複数の十字板ユニット(1)が水平方向と垂直方向に連結されてなる請求項１に記載される組み立て棚。
【請求項６】
十字板ユニット(1)を構成する水平板材(2)及び／又は垂直板材(3)が、その側面(5)に、連結ダボ(7)を挿入するために複数の連結孔(8)を所定の間隔で設けており、
この連結孔(8)に連結ダボ(7)を挿入し、連結ダボ(7)を介して隣接する十字板ユニット(1)の水平板材(2)及び／又は垂直板材(3)の側面(5)または端面(6)を連結するようにしてなる請求項１に記載される組み立て棚。
【請求項７】
水平板材(2)及び／又は垂直板材(3)のスリット(4)が、対向面(4A)の中央部に、スリット(4)に沿う凹部(9)を備える請求項１に記載される組み立て棚。
【発明の詳細な説明】
【技術分野】
【０００１】
本発明は、複数の板材を脱着できるように連結して組み立てられる組み立て棚に関する。
【背景技術】
【０００２】
使用する板材を増加して段数を追加できる組み立て棚は開発されている（特許文献１参照）。この組み立て棚は、棚板を上下の支柱で挟着して固定している。上下の支柱を連結するために、棚板を上下にネジが貫通している。このネジは、上端部を棚板の上に配置される支柱の下端に設けた雌ネジにねじ込み、下端部を支柱の上端に設けた雌ネジにねじ込んでいる。この組み立て棚は、棚板の使用枚数を多くして段数を多くできる。
【０００３】
この構造の組み立て棚は、上下に連結する棚板の枚数で段数を増減できる。ただ、棚板を横には連結できないので、組み立て棚の横幅を変更できない欠点がある。棚板を横に連結する組み立て棚も開発されている。この組み立て棚は、種々の構造の連結具を使用して、棚板を上下に連結する。このため、棚板を上下に連結するために使用する連結具の種類が多くなり、使用部品が多くなる欠点がある。また、組み立て棚の段数や横幅によって、使用する連結具の種類と個数を調整する必要があり、部品の選択を簡単にできない欠点がある。
【特許文献１】特開平１１−２９９５４６号公報
【発明の開示】
【発明が解決しようとする課題】
【０００４】
本発明は、従来の組み立て棚が有する以上の欠点を解決することを目的に開発されたものである。本発明の重要な目的は、同じ部品を使用して、上下の段数と横幅の両方を調整でき、しかも簡単かつ容易に組み立てできる組み立て棚を提供することにある。
【課題を解決するための手段】
【０００５】
本発明の組み立て棚は、前述の目的を達成するために以下の構成を備える。
組み立て棚は、水平板材２と垂直板材３を備えており、これらの中間に、一方の側面５から他方の側面５に向かって横方向に延びるスリット４を設けている。水平板材２のスリット４の幅は、垂直板材３の厚さに等しく、垂直板材３のスリット４の幅は、水平板材２の厚さに等しくしている。水平板材２のスリット４に垂直板材３を挿入し、垂直板材３のスリット４に水平板材２を挿入し、水平板材２と垂直板材３とを脱着できるように直角に連結して十字板ユニット１としている。十字板ユニット１を構成する水平板材２と垂直板材３は、その両端面６に連結ダボ７を挿入するために複数の連結孔８を所定の間隔で設けている。組み立て棚は、連結孔８に連結ダボ７を挿入し、連結ダボ７を介して隣接する十字板ユニット１の水平板材２及び／又は垂直板材３を連結する。
【０００６】
水平板材２と垂直板材３は、同じ外形と厚さの板材とすることができる。水平板材２と垂直板材３は、一方の側面５から両側面５の中央までスリット４を設けることができる。水平板材２と垂直板材３は、両端面６の中央にスリット４を設けることができる。
【０００７】
本発明の組み立て棚は、複数の十字板ユニット１を、水平方向と垂直方向に連結することができる。
【０００８】
さらに、本発明の組み立て棚は、十字板ユニット１を構成する水平板材２及び／又は垂直板材３の側面５に、連結ダボ７を挿入するために複数の連結孔８を所定の間隔で設けることができる。この組み立て棚は、連結孔８に連結ダボ７を挿入し、連結ダボ７を介して隣接する十字板ユニット１の水平板材２及び／又は垂直板材３の側面５または端面６を連結することができる。
【０００９】
さらに、本発明の組み立て棚は、水平板材２及び／又は垂直板材３のスリット４の対向面４Ａの中央部に、スリット４に沿う凹部９を設けることができる。
【発明の効果】
【００１０】
本発明の組み立て棚は、同じ部品を使用して、上下の段数と横幅の両方を調整でき、しかも簡単かつ容易に組立できる特長がある。それは、本発明の組み立て棚が、水平板材と垂直板材とを中間のスリットで直角に連結して十字板ユニットとし、十字板ユニットを構成する水平板材と垂直板材の両端面に設けた複数の連結孔に連結ダボを挿入して、隣接する十字板ユニットを連結するようにしているからである。この構造の組み立て棚は、隣接する十字板ユニットを、水平板材と垂直板材の両端面に設けた複数の連結孔に挿入される連結ダボを介して連結するので、垂直方向と水平方向に連結する十字板ユニットの数を種々に変更して、組み立て棚の段数や横幅を自由に変更できる。
【００１１】
とくに、本発明の組み立て棚は、従来のように、種々の構造の連結具を使用して、棚板を上下や左右に連結するのではなく、水平板材と垂直板材の両端面に設けた連結孔に連結ダボを挿入するという、極めて簡単な連結構造で、しかも同じ部品を使用して隣接する十字板ユニットを連結するので、連結具の種類と個数を調整することなく、簡単かつ容易に複数の十字板ユニットを連結して組み立てできる。
【００１２】
さらに、本発明の組み立て棚は、十字板ユニットを、水平板材と垂直板材とをスリットで垂直に連結するという極めて簡単な構造としているので、水平板材と垂直板材を安価に多量生産できると共に、これらの組み立てを簡単かつ容易にできる特長がある。しかも、本発明の組み立て棚は、水平板材のスリットの幅を垂直板材の厚さに等しくし、垂直板材のスリットの幅を水平板材の厚さに等しくしているので、水平板材と垂直板材とを遊びのない状態でしっかりと連結できる特長もある。とくに、本発明の請求項７の組み立て棚は、スリットの対向面の中央部に、スリットに沿う凹部を設けているので、水平板材と垂直板材とを低抵抗な状態でスムーズに連結できる特長がある。
【発明を実施するための最良の形態】
【００１３】
以下、本発明の実施例を図面に基づいて説明する。ただし、以下に示す実施例は、本発明の技術思想を具体化するための組み立て棚を例示するものであって、本発明は組み立て棚を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図１ないし図５に示す組み立て棚は、複数の十字板ユニット１を上下左右に連結して、必要な段数と横幅にしている。さらに、図４の組み立て棚は、十字板ユニット１を前後にも連結して、所定の奥行きとしている。
【００１６】
組み立て棚を構成する十字板ユニット１は、水平板材２と垂直板材３を、その中央で直交するように連結したものである。水平板材２と垂直板材３は、その中間に、一方の側面５から他方の側面５に向かって、側面５と垂直な方向である横方向に延びるスリット４を設けている。図の水平板材２と垂直板材３は、両端面６の中央にスリット４を設けている。さらに、図の水平板材２と垂直板材３は、一方の側面５から両側面５の中央まで延長してスリット４を設けている。このスリット４は、水平板材２と垂直板材３とを最も理想的に連結できる。水平板材２と垂直板材３は、互いにスリット４に挿入されて、十字状に連結されて十字板ユニット１となる。スリット４は、板材を隙間なく挿入できるように、水平板材２のスリット４の幅を垂直板材３の厚さに等しくし、垂直板材３のスリット４の幅を水平板材２の厚さに等しくしている。水平板材２のスリット４には垂直板材３を挿入し、垂直板材３のスリット４には水平板材２を挿入して、水平板材２と垂直板材３を脱着できるように直角に連結して十字板ユニット１としている。
【００１７】
さらに、スリット４は、図６に示すように、互いに対向する対向面４Ａに凹部９を設けることができる。図に示すスリット４は、対向面４Ａの外周部を除く中央部に、スリット４に沿って凹部９を設けている。図７は、この構造のスリット４を有する垂直板材３に水平板材２を連結する状態を示す拡大断面図である。これら図に示す垂直板材３は、スリット４の対向面４Ａの中央部に凹部９を設けており、対向面４Ａの両側縁部を、水平板材２を挟着する支持部１０として、水平板材２の表面と平行な平面部を設けている。このスリット４は、図７に示すように、スリット４の開口幅である支持部１０の間隔（Ｌ）を水平板材２の厚さ（Ｄ2）と等しくし、対向面４Ａの中央部の間隔（Ｈ）を水平板材２の厚さ（Ｄ2）よりも大きくしている。この構造のスリット４は、スリット４の開口縁部である支持部１０で水平板材２を隙間なく挟着するので、垂直板材３のスリット４に挿入される水平板材２を遊びのない状態でしっかりと連結できる。さらに、このスリット４は、対向面４Ａの中央部に設けた凹部９によって、対向面４Ａの中央部が水平板材２に接触するのを防止するので、水平板材２を低抵抗な状態で垂直板材３のスリット４に挿入してスムーズに連結できる特長がある。
【００１８】
スリット４に設ける凹部９は、その深さ（ｄ）を、０．１ｍｍ以上、好ましくは０．１〜０．５ｍｍとして、対向面４Ａの中央部が水平板材２に接触するのを有効に防止できる。図に示す凹部９は、断面形状をコ字状としているが、凹部は、Ｖ字状や湾曲面状とすることもできる。これらの形状の凹部は、その最大深さを前述の範囲とすることができる。また、スリット４に設ける凹部９の幅（Ｗ）は、垂直板材３の厚さ（Ｄ3）の１／５〜４／５、好ましくは１／３〜４／５として、すなわち、支持部１０の幅（Ｔ）を、垂直板材３の厚さ（Ｄ3）の１／１０〜２／５、好ましくは１／１０〜１／３として垂直板材３のスリット４に挿入される水平板材２を遊びのない状態でしっかりと連結できる。
【００１９】
図７に示す垂直板材３は、芯材１１の表面に表面板１２を固定しているフラッシュ構造の板材としている。この構造の垂直板材３は、両側の表面板１２に開口幅（Ｌ）のスリットを設け、表面板１２の間に配設される芯材１１には、（Ｌ）よりも大きな開口幅（Ｈ）のスリットを設けて、スリット４の対向面４Ａに凹部９を形成している。このようなフラッシュ構造の板材では、表面板１２においては、板材の表面と平行な方向への伸縮や膨張を極めて少なくできるが、芯材１１においては、板材の表面と平行な方向への伸縮や膨張が大きくなる。たとえば、芯材が膨張してスリットの対向面の中央部が膨張すると、この膨張した芯材部分がスリットに挿入される板材に接触して抵抗が大きくなり、スムーズに連結できなくなる。また、この中央部分が膨張して突出すると、スリットに挿入される板材を遊びのない状態で保持できなくなる。これに対して、芯材の部分に凹部を設ける構造は、この凹部で芯材部分の膨張を吸収して、スリットに挿入される板材に芯材部分が接触するのを有効に防止できるので、板材を低抵抗な状態で挿入してスムーズに連結しながら、スリットに挿入される板材を遊びのない状態で保持できる。ただ、この板材は、必ずしも芯材に設けたスリット全体を表面板のスリットよりも広く開口して凹部とする必要はなく、芯材に設けたスリットの対向面の中央部分に凹部を設けることもできる。さらに、水平板材と垂直板材は、フラッシュ構造の以外の木製板材や、木製以外の材質の板材においても、スリットの対向面に凹部を設けることによって、水平板材と垂直板材とを低抵抗な状態で連結して、遊びのない状態で保持できるのは言うまでもない。
【００２０】
図６と図７は、垂直板材３のスリット４に凹部９を設けて、このスリット４に水平板材２を挿入する状態を示している。さらに、図６及び図７と同様の構造で水平板材２のスリット４に凹部９を設けて、このスリット４に垂直板材３を挿入することもできる。とくに、スリット４に設ける凹部９は、水平板材２と垂直板材３の両方に設けることによって、水平板材２と垂直板材３とを最も理想的な状態で互いに連結できる。ただ、スリットの凹部は、水平板材と垂直板材のいずれか一方にのみ設けることもできる。
【００２１】
水平板材２と垂直板材３は、木製の板材、芯材の表面に板材を固定しているフラッシュ構造の板材、あるいは金属板やプラスチック板である。水平板材２と垂直板材３は、外形を４００ｍｍ×４００ｍとし、厚さを２６ｍｍとする板材である。ただし、外形は、種々の用途に使用して、用途に最適値とするために、たとえば一辺を５ｃｍ〜５０ｃｍの範囲で変更でき、またこれよりも小さく、あるいは大きくすることもできる。水平板材２と垂直板材３の厚さは、５ｍｍよりも厚く、好ましくは１０ｍｍよりも厚く、さらに好ましくは１５ｍｍよりも厚くする。水平板材２と垂直板材３は、端面６や側面５に連結ダボ７を挿入する連結孔８を設けるので、端面６や側面５に連結孔８を設けることができ、かつ充分な強度を有するように、用途や大きさによって以上の厚さとする。
【００２２】
水平板材２と垂直板材３は、同じ外形と厚さの板材とすることができる。この十字板ユニット１は、同じ板材を使用でき、また縦横を同じ形状にできるので、水平方向と垂直方向を自由に変更して便利に使用できる。ただ、水平板材２と垂直板材３とを幅が同じで長さが異なる大きさとすることができ、また厚さが異なる板材とすることもできる。厚さが異なる水平板材と垂直板材は、水平板材を厚くして水平板材に載せる耐荷重を大きくし、あいるは垂直板材を厚くして、縦方向の耐荷重を強くすることもできる。
【００２３】
十字板ユニット１を構成する水平板材２と垂直板材３は、その両端面６に、連結ダボ７を挿入するために複数の連結孔８を所定の間隔で設けている。水平板材２と垂直板材３は、図４と図５に示すように、端面６のみでなく側面５にも連結孔８を設けて、隣の十字板ユニット１を側面５に連結することもできる。
【００２４】
連結孔８は、端面６や側面５に対して直交し、かつ板材の両面に平行な姿勢で、端面６や側面５から内部に向かって設けられる。連結孔８は、円柱状、多角柱状、楕円柱状とすることができる。ただ、円柱状の連結孔８は簡単に設けることができ、また、円柱状の連結ダボ７を挿入して連結できる。連結孔８は、外径を例えば３ｍｍ以上、好ましくは４ｍｍ以上、さらに好ましくは５ｍｍ以上として充分な強度とする。また、連結孔８は、たとえば１０ｍｍ以下、好ましくは９ｍｍ以下、さらに好ましくは８ｍｍ以下とする。連結孔が大きすぎると、連結孔を設けた部分の強度が低下するからである。
【００２５】
連結孔８に連結ダボ７が挿入される。連結ダボ７は、連結孔８に簡単には抜けないように連結される。連結ダボ７は、一端部を一方の十字板ユニット１の連結孔８に、他端部を隣に配設している他方の十字板ユニット１の連結孔８に挿入される。隣接して配置される十字板ユニット１は、連結孔８に挿入される連結ダボ７を介して水平板材２を連結して横に連結され、また垂直板材３を連結して縦に連結される。
【００２６】
連結ダボ７は先端の外周を面取りした木製の円柱である。連結ダボ７は、連結孔８に軽く叩き込んで挿入でき、ペンチ等で掴んで連結孔８から引き抜きできる程度の太さに製作される。連結ダボが太すぎると、連結孔にスムーズに挿入できないが、反対に細すぎると簡単に抜けて、水平板材や垂直板材をしっかりと連結できなくなる。木製の連結ダボ７は、連結孔８に圧入されるときに、表面が連結孔８の内面に押されて細くなる。この状態で連結孔８に挿入された連結ダボ７は、弾性復元力で連結孔８の内面に押圧されて、抜けないように連結される。連結ダボ７は、木製に限らず、たとえば硬質プラスチックとし、あるいは金属製とすることもできる。
【００２７】
十字板ユニット１は、水平板材２の端面６の連結孔８に連結ダボ７を挿入して隣の十字板ユニット１を水平方向に連結し、また、垂直板材３の端面６の連結孔８に連結ダボ７を挿入して、垂直方向に十字板ユニット１を連結することができる。横に連結される十字板ユニット１の数を調整して、横幅を最適な幅とし、上下に連結される十字板ユニット１の数を調整して、全体の高さを最適にする。
【００２８】
さらに、十字板ユニット１は、図４に示すように、水平板材２と垂直板材３の側面５の連結孔８に連結ダボ７を挿入し、隣接する十字板ユニット１の側面同士を連結することもできる。この組み立て棚は、前後方向に連結する十字板ユニット１の数を調整して、奥行きを最適な長さとすることができる。
【００２９】
さらに、水平板材２と垂直板材３の側面５に連結孔８を設けた十字板ユニット１は、必ずしも側面同士を連結する必要はなく、図１に示すように、十字板ユニット１の側面と、隣接する十字板ユニット１の端面５とを連結することもできる。この組み立て棚は、たとえば、上下左右に連結された複数の十字板ユニット同士を、各々の棚の向きが互いに交差する状態で連結できるので、組み立て棚全体の創造性を高めて、その構成や意匠をさらに多様化できる。
【図面の簡単な説明】
【００３０】
【図１】本発明の一実施例にかかる組み立て棚の分解斜視図である。
【図２】図１に示す組み立て棚の十字板ユニットの斜視図である。
【図３】図２に示す十字板ユニットを構成する水平板材と垂直板材の斜視図である。
【図４】本発明の他の実施例にかかる組み立て棚の分解斜視図である。
【図５】図４に示す組み立て棚の十字板ユニットの斜視図である。
【図６】スリットの他の一例を示す斜視図である。
【図７】図６に示すスリットを備える板材の連結構造を示す拡大断面図である。
【符号の説明】
【００３１】
１…十字板ユニット
２…水平板材
３…垂直板材
４…スリット            ４Ａ…対向面
５…側面
６…端面
７…連結ダボ
８…連結孔
９…凹部
１０…支持部
１１…芯材
１２…表面板
【図１】
2007000409.tif 000003
【図２】
2007000409.tif 000004
【図３】
2007000409.tif 000005
【図４】
2007000409.tif 000006
【図５】
2007000409.tif 000007
【図６】
2007000409.tif 000008
【図７】
2007000409.tif 000009